(57)【特許請求の範囲】
【請求項１】
単体で挿入口に挿入されるディスクを内部の所定位置にローディング機構によってローディングし、また挿入口の所定の取り出し位置に排出するディスクプレーヤであって、
前記挿入口の近傍に設けられ互いに異なる複数の検出点でディスクを検出するディスク検出手段と、挿入されたディスクが前記内部の所定位置までローディングされたことを検出するセット検出手段と、前記ディスク検出手段の検出信号からディスクのサイズを判定する判定手段と、操作部の操作信号および前記ディスク検出手段と前記セット検出手段とが出力する検出信号を取り込んで前記ローディング機構の動作を制御するメカニズム制御部とを備え、
前記ディスク検出手段が前記挿入口に挿入されるディスクを検出して前記ローディング機構が前記挿入口に挿入されるディスクをローディングした後で前記挿入口に挿入されるディスクが前記セット検出手段に検出される前にディスク排出の操作信号が前記メカニズム制御部に取り込まれた場合に、前記ローディング機構の動作が切り換わり、前記ディスクが前記判定手段で判定された前記ディスクのサイズに応じた取り出し位置にまで排出されて排出動作が停止されることを特徴とするディスクプレーヤ。
【請求項２】
請求項１に記載のディスクプレーヤであって、
前記ディスク検出手段が、挿入口近傍に分散配置された少なくとも３個の光センサを備えていることを特徴とするディスクプレーヤ。
【請求項３】
請求項１または２記載のディスクプレーヤであって、
前記判定手段により判定されたディスクのローディング方向の位置に応じてディスク検出手段への電源供給の態様を切り換えるセンサ駆動回路をさらに備えたことを特徴とするディスクプレーヤ。
【請求項４】
請求項３に記載のディスクプレーヤであって、
前記センサ駆動回路は、ディスク検出手段に対しディスクの挿入前もしくは排出完了時に時分割で電源を供給し、ディスクの挿入時に電源を継続して供給し、ローディング完了時に電源供給を遮断するものであることを特徴とするディスクプレーヤ。
【発明の詳細な説明】
【０００１】
【発明の属する技術分野】
本発明は、車載の音楽ＣＤプレーヤのように、ディスクがトレーなしに単体で挿入されるタイプのディスクプレーヤに係り、詳しくは、ディスクをローディングし、排出するメカニズム部分の構成に関する。
【０００２】
【従来の技術】
従来の一般の車載型音楽ＣＤプレーヤには、トレーを使わずにディスクの単体を直接手に持って出し入れするタイプのものがある。このタイプのＣＤプレーヤーでは、ディスクが所定の深さまで挿入されると、あとはローディング機構により内部の再生位置までローディングされ、再生後、そのディスクはその縁部が指で掴める程度の長さだけ挿入口から突出するよう、所定の取り出し位置まで排出されるようになっている。
【０００３】
ところで、排出の場合、１２ｃｍ径のフルサイズのＣＤと、８ｃｍ径のシングルＣＤとでは、取り出し位置が異なり、再生位置から取り出し位置までの排出距離も異なる。そのため、ディスクを所定の取り出し位置にまで排出するには、その前に予めディスクのサイズを検出しておく必要がある。
【０００４】
従来のこの種のプレーヤでは、各ディスクが再生位置にセットされた時点で、そのサイズを検出するようにしている。
【０００５】
そして、排出時には、そのディスクのサイズに応じて、ローディング機構によるディスクの排出時間を長短調整することで、各ディスクを所定の取り出し位置にまで排出するようにしている。すなわち、フルサイズのＣＤは、比較的短い時間、排出が行われ、また、シングルＣＤは長い時間、排出が行われて、それぞれ挿入口から一部が一定長さ突出する位置にまで送り出される。
【０００６】
【発明が解決しようとする課題】
上記のように、車載型音楽ＣＤプレーヤのような従来のディスクプレーヤでは、ディスクが再生位置にセットされた時点でサイズを検出し、その検出結果に基づいてディスクの排出を行うのであるが、実際の使用時には、使用者が聞きたいＣＤを取り違えて、別のＣＤを挿入してしまい、あわてて排出のボタンを操作する場合のように、ディスクのローディングの途中で排出の操作をすることがある。
【０００７】
このようなローディング途中での排出の操作により、ディスクは再生位置の手前で折り返し、排出されることになる。しかしながら、排出動作が、ディスクのサイズが検出される前の動作であることから、ディスクをそのサイズに応じた取り出し位置にまで的確に送り出すことができず、排出距離が長すぎたり、短すぎたりする。排出距離が長すぎると、ディスクはその取り出し位置を越え、挿入口から落下することになる。一方、排出距離が短すぎると、ディスクは挿入口からほとんど突出せず、その取り出しが困難になる。
【０００８】
本発明は、上記従来の問題点に対処したもので、挿入口の近傍でディスクのサイズが判定されるようにすることで、ローディングの途中で排出の操作をしても、そのディスクの排出がサイズに応じて的確に行われるようにして、ディスクの落下や取り出し不可等の不都合をなくすことを課題とする。
【０００９】
【課題を解決するための手段】
本発明は、上記課題を達成するために、単体で挿入口に挿入されるディスクを内部の所定位置にローディング機構によってローディングし、また挿入口の所定の取り出し位置に排出するディスクプレーヤであって、前記挿入口の近傍に設けられ互いに異なる複数の検出点でディスクを検出するディスク検出手段と、挿入されたディスクが前記内部の所定位置までローディングされたことを検出するセット検出手段と、前記ディスク検出手段の検出信号からディスクのサイズを判定する判定手段と、操作部の操作信号および前記ディスク検出手段と前記セット検出手段とが出力する検出信号を取り込んで前記ローディング機構の動作を制御するメカニズム制御部とを備え、前記ディスク検出手段が前記挿入口に挿入されるディスクを検出して前記ローディング機構が前記挿入口に挿入されるディスクをローディングした後で前記挿入口に挿入されるディスクが前記セット検出手段に検出される前にディスク排出の操作信号が前記メカニズム制御部に取り込まれた場合に、前記ローディング機構の動作が切り換わり、前記ディスクが前記判定手段で判定された前記ディスクのサイズに応じた取り出し位置にまで排出されて排出動作が停止されることを特徴とする構成とした。
【００１０】
【発明の実施の形態】
本発明のディスクプレーヤは、単体で挿入口に挿入されるディスクを内部の所定位置にローディング機構によってローディングし、また挿入口の所定の取り出し位置に排出するディスクプレーヤであって、前記挿入口の近傍に設けられ互いに異なる複数の検出点でディスクを検出するディスク検出手段と、挿入されたディスクが前記内部の所定位置までローディングされたことを検出するセット検出手段と、前記ディスク検出手段の検出信号からディスクのサイズを判定する判定手段と、操作部の操作信号および前記ディスク検出手段と前記セット検出手段とが出力する検出信号を取り込んで前記ローディング機構の動作を制御するメカニズム制御部とを備え、前記ディスク検出手段が前記挿入口に挿入されるディスクを検出して前記ローディング機構が前記挿入口に挿入されるディスクをローディングした後で前記挿入口に挿入されるディスクが前記セット検出手段に検出される前にディスク排出の操作信号が前記メカニズム制御部に取り込まれた場合に、前記ローディング機構の動作が切り換わり、前記ディスクが前記判定手段で判定された前記ディスクのサイズに応じた取り出し位置にまで排出されて排出動作が停止されるようになっており、挿入口に挿入されたディスクのサイズは、挿入直後、ローディングが完了する前に判定される。したがって、ローディングの途中で排出動作に移っても、ディスクはそのサイズに合った取り出し位置まで的確に排出されるとともに、検出点が増すことで、ディスクのローディング方向の位置がより正確に判定される。
【００１３】
また、本発明のディスクプレーヤは、前記ディスク検出手段を、挿入口近傍に分散配置された少なくとも３個の光センサから構成した。
【００１４】
上記の構成では、回路が比較的簡単になるほか、各光センサの検出信号の組み合わせにより、種々の状態を検出することができる。また、３個の光センサの検出信号を扱うから、複雑な処理は要しない。
【００１５】
また、本発明は、判定手段により判定されたディスクのローディング方向の位置に応じてディスク検出手段への電源供給の態様を切り換えるセンサ駆動回路を備えている。
【００１６】
この発明では、ディスクの位置により、その検出が不要となる場合にはディスク検出手段への電源供給を止める等して、消費電力を削減することができる。
【００１７】
具体的には、センサ駆動回路は、ディスク検出手段に対しディスクの挿入前もしくは排出完了時に時分割で電源を供給し、同様に、ディスクの挿入時にも電源を時分割で供給し、ローディング完了時に電源供給を遮断するようにすればよい。
【００１８】
以下、本発明の詳細を図示の実施の形態に基づき説明する。図１は、本発明の一実施形態に係るＣＤプレーヤのメカニズム部分のブロック構成図である。
【００１９】
図１において、符号１は、プレーヤ全体のケーシング、２は、ケーシング１の前面に開口するディスクの挿入口で、この挿入口２にはディスクがトレーなしに単体で挿入されるようになっている。
【００２０】
また、符号３は、挿入口２の内側近傍に設けられたディスク検出手段、４はセット検出手段、５は操作部、６はメカニズム制御部であり、７は、メカニズム制御部６により制御されるローディング機構、８はそのモータ、９はモータ駆動回路、１０はセンサ駆動回路で、１１は電源である。
【００２１】
ディスク検出手段３は、挿入口２の内側の互いに異なる複数の検出点でディスクを検出するもので、図示のものでは、挿入口２の内側近傍に分散配置された３個の反射型フォトインタラプタのような光センサ１２ａ，１２ｂ，１２ｃ（１２と総称）からなる。
【００２２】
セット検出手段４は、ディスクが再生位置にまでローディングされたことを検出するもので、例えば光センサからなり、その検出信号はメカニズム制御部６に入力する。
【００２３】
メカニズム制御部６は、前記のディスク検出手段３やセット検出手段４からその検出信号を、また操作部５から操作信号を取り込んで、ローディング機構７等、各部の動作を制御するものである。本実施形態では、このメカニズム制御部６は、ディスク検出手段３の各光センサ１２の検出信号に基づいて、挿入ディスクのサイズと、排出ディスクの取り出し位置を判定する判定手段１３を含む。また、ディスク検出手段３の各光センサ１２の検出信号のほか、セット検出手段４の検出信号を取り込み、これら検出信号に基づいてディスクのローディング方向の位置を判定する。
【００２４】
なお、各光センサ１２の検出信号に基づくディスクサイズの判定や、取り出し位置の判定の仕方については、後の動作説明の個所で詳述する。
【００２５】
メカニズム制御部６からは、ディスクのサイズ等の判定結果に応じて制御信号がモータ駆動回路９やセンサ駆動回路１０に与えられる。モータ駆動回路９を介してローディング用モータ８に電源が供給されることで、ローディング機構７はローディングもしくは排出動作を行う。
【００２６】
一方、センサ駆動回路１０を介してディスク検出手段３に電源が供給されるが、その電源供給の態様は、メカニズム制御部６でのディスク位置についての判定結果に応じて、時分割供給、供給遮断というように切り換えられるようになっている。
【００２７】
次に、上記構成の動作を説明する。まず、ディスク検出手段３を構成する光センサ１２の光路を遮断する程度の深さまでディスクを挿入口２に挿入すると、ディスク検出手段３を構成する光センサ１２の全部もしくは一部がこれを検出する。この検出信号はメカニズム制御部６に入力するから、メカニズム制御部６は、ディスクが挿入されたとして、モータ駆動回路９に起動の制御信号を送り、ローディング機構７を正方向に動作させ、挿入ディスクを再生位置へとローディングする。
【００２８】
これとともに、メカニズム制御部６は、光センサ１２の検出信号を取り込み、これらをソフト処理することで、挿入ディスクのサイズを判定する。
【００２９】
すなわち、光センサ１２が図示の配置の通り、左から第１光センサ１２ａ、第２光センサ１２ｂ、第３光センサ１２ｃとし、ディスク検出でオン、非検出でオフとすると、例えば、
（Ａ0）第１光センサ１２ａがオンで、しかも第３光センサ１２ｃがオンの場合、挿入ディスクはフルサイズＤｆと判定する。
【００３０】
（Ｂ0）第１光センサ１２ａがオンだが、第３光センサ１２ｃがオフの場合、挿入ディスクはシングルのディスクＤｓと判定する。
【００３１】
（Ｃ0）第１光センサ１２ａがオフだが、第３光センサ１２ｃがオフの場合も、挿入ディスクはシングルＤｓと判定する。
【００３２】
これによって、挿入ディスクは、挿入直後、ローディングが完了する前にそのサイズが判定される。
【００３３】
通常、挿入ディスクはローディング機構７のローディングにより再生位置にセットされて再生されることになるが、それよりも前に、排出の操作がなされると、その時点でローディング機構７の動作が切り換わるから、ディスクは再生位置の手前で折り返し、排出されることになる。
【００３４】
この場合、フルサイズＤｆとシングルＤｓとでは、ディスクの取り出し位置が異なるが、各サイズのディスクがそれぞれの取り出し位置に達したか否かについて、メカニズム制御部６は、ディスク検出手段３の各光センサ１２の検出信号に基づいて判定することができ、したがって、これら光センサ１２がディスクの取り出し位置への到達を検出するまで、ローディング機構７により排出が続けられる。すなわち、メカニズム制御部６は、例えば、
（Ａ1）シングルのディスクＤｓについては、第２光センサ１２ｂがオンからオフになれば、その取り出し位置に到達したと判定する。
【００３５】
（Ｂ1）フルサイズのディスクＤｆについては、第３光センサ１２ｃがオンからオフになれば、その取り出し位置に到達したと判定する。
【００３６】
これで、ディスクはそのサイズに応じた取り出し位置にまで排出されて、そこで排出動作が停止される。そのため、排出ディスクが落下したり、取り出し不可となることがない。
【００３７】
他方、再生位置にセットされ、再生されたディスクは、その後、ローディング機構７の逆動作により排出される。この場合も、ディスク検出手段３の光センサ１２がディスクの取り出し位置への到達を検出した時点で、排出が停止され、これによって、ディスクはそのサイズに応じた取り出し位置に排出される。
【００３８】
しかしながら、上述した第１光センサ１２ａ〜第３光センサ１２ｃを用いたディスクのサイズ検出方法および取り出し位置到達検出方法は、一例にすぎず、第１光センサ１２ａ〜１２ｃを用いたこれらの検出方法は、多種多様な方法が考えられるのはいうまでもない。
【００３９】
このほか、本実施形態では、ディスクの挿入や排出に関連して、ディスク検出手段３への電源供給が調整される。ディスク検出手段３には、常時電源を供給してもよいが、本実施形態では、メカニズム制御部６でのディスク位置の判定結果に応じて、メカニズム制御部６からセンサ駆動回路１０には制御信号が送られ、センサ駆動回路１０を介してディスク検出手段３への電源供給の態様が切り換えられる。
【００４０】
（Ａ2）ディスクの挿入前もしくは排出完了時には、時分割で電源を供給し、光センサ１２を待機状態にする。
【００４１】
（Ｂ2）ディスクの挿入時に電源を継続して供給し、光センサ１２をフル稼働の状態にする。
【００４２】
（Ｃ2）ローディング完了時に電源供給を遮断し、光センサ１２を休止状態にする。
【００４３】
これにより、ディスク検出手段３での消費電力が節約される。
【００４４】
上記の実施形態では、２種のディスクのサイズを判定するようにしたが、ディスク検出手段３での検出点を増やせば、３種以上のディスクのサイズを判定することができる。
【００４５】
本発明は、ＣＤプレーヤに限らず、トレーを使わずにディスクの単体を直接手に持って出し入れするタイプのディスクプレーヤであれば、実施することができるのはいうまでもない。
【００４６】
【発明の効果】
本発明によれば、ディスクの挿入直後にそのディスクのサイズが判定されるから、ローディングの完了前に排出の操作を行っても、ディスクはそのサイズに合った所定の取り出し位置まで排出され、排出ディスクが落下したり、取り出し不可となることがない。
【図面の簡単な説明】
【図１】  本発明の一実施形態に係るＣＤプレーヤのメカニズム部分のブロック構成図である。
【符号の説明】
２    挿入口
３    ディスク検出手段
４    セット検出手段
６    メカニズム制御部
７    ローディング機構
１０    センサ駆動回路
１２（１２ａ，１２ｂ，１２ｃ）  光センサ
１３    判定手段
【図１】
0004209038.tif 000002